(57)【要約】【課題】磁気エンコーダとセンサーとの間の間隙に異物が噛みこんだ場合でも、磁気エンコーダの損傷を防止すると共に、信号精度の低下を防止する磁気エンコーダを備えたころがり軸受および密封シール部材を提供することを課題としている。【解決手段】ヨークのフランジ部に設けられた所定数の窓に、窓と同数で、かつ同形状の多極磁化された凸部を円周方向に形成してある磁気エンコーダを組合わせ一体化し、さらに、磁気エンコーダにバックヨークを取付けてスリンガ組立て体として、磁気エンコーダより発する信号を検出するようにしてある。【選択図】図１
2007247718.tif 000002
【特許請求の範囲】
【請求項１】
内周軌道を有する外輪と、
外周軌道を有する内輪と、
前記内周軌道と前記外周軌道間に介装され、前記外内輪を相対回転可能に支持する転動体と、
前記外輪の両端部に設けられて、前記外輪と前記内輪との軸受空間を密封する第１密封シール部材及び第２密封シール部材とからなり、
前記第１密封シール部材と第２密封シール部材のいずれか一方の密封シール部材に磁気エンコーダを設けたころがり軸受において、
前記磁気エンコーダを設けた密封シール部材は外輪に嵌合された芯金と、該芯金に取付けられたシールリップと、内輪に嵌合されたスリンガ組立て体とを含み、該スリンガ組立て体は非磁性体のヨークと磁気エンコーダと磁性体の円盤形状のバックヨークからなり、前記ヨークはフランジ部を有し、該フランジ部には円周方向の窓が等間隔に所定数設けられてあり、前記磁気エンコーダは一方の面と他方の面を有し、一方の面には前記窓と同数で、かつ同形状の多極磁化された凸部が形成されてあり、前記ヨークと磁気エンコーダとは、一体に加硫成型され、多極に着磁されており、さらに、前記磁気エンコーダの他方の面にバックヨークを取付けてスリンガ組立て体となして、軸方向外方から内方に向けてフランジ部、磁気エンコーダ、バックヨークの順に配列した前記スリンガ組立て体を設けた密封シール部材を備えたことを特徴とするころがり軸受。
【請求項２】
内周軌道を有する外輪と、
外周軌道を有する内輪と、
前記内周軌道と前記外周軌道間に介装され、前記外内輪を相対回転可能に支持する転動体と、
前記外輪の車両外端側端部および車両中心側端部に設けられて、前記外輪と前記内輪との軸受空間を密封する密封シール部材とからなり、
車両中心側の密封シール部材に磁気エンコーダを設けたころがり軸受において、
車両中心側の密封シール部材は外輪に嵌合された芯金と、該芯金に取付けられたシールリップと、内輪に嵌合されたスリンガ組立て体とを含み、該スリンガ組立て体は非磁性体のヨークと磁気エンコーダと磁性体の円盤形状のバックヨークからなり、前記ヨークはフランジ部を有し、該フランジ部には円周方向の窓が等間隔に所定数設けられてあり、前記磁気エンコーダは一方の面と他方の面を有し、一方の面には前記窓と同数で、かつ同形状の多極磁化された凸部が形成されてあり、前記ヨークと磁気エンコーダとは、一体に加硫成型され、多極に着磁されており、さらに、前記磁気エンコーダの他方の面にバックヨークを取付けてスリンガ組立て体となして、軸方向外方から内方に向けてフランジ部、磁気エンコーダ、バックヨークの順に配列した前記スリンガ組立て体を設けた密封シール部材を備えたことを特徴とするころがり軸受。
【請求項３】
芯金と、該芯金に形成されたシールリップと、該シールリップと摺接するフランジ部を有するヨークとを含む密封シール部材において、
円筒部と、円筒部の所定位置から半径方向に折れ曲がるフランジ部を有する非磁性体のヨークと、磁気エンコーダと、前記磁気エンコーダに取付けられる磁性体のバックヨークとを含むスリンガ組立て体であって、前記ヨークのフランジ部には円周方向に等間隔に離隔した窓を所定数設けており、前記磁気エンコーダは一方の面と他方の面を有し、一方の面には前記窓と同数で、かつ同形状の円周方向に多極磁化された凸部が形成されてあり、前記ヨークと前記エンコーダとは、一体に加硫成型され、多極に着磁されており、さらに、磁気エンコーダの他方の面にバックヨークを取付けてスリンガ組立て体となし、密封シール部材を取付け後において、軸方向外方から、フランジ部、磁気エンコーダ、バックヨークの順に配列される前記スリンガ組立て体を備えることを特徴とする密封シール部材。
【発明の詳細な説明】
【技術分野】
【０００１】
本発明は、ころがり軸受に関し、特に、車輪用のころがり軸受の回転数を検出する磁気エンコーダを設けた密封シール部材を備えたころがり軸受ならびに密封シール部材に関する。
【背景技術】
【０００２】
従来、車輪用のころがり軸受Ｈｚは、図１０に示すように、外輪１ｚ、内輪２ｚ、前記外内輪の間に介装されたボール３ｚ，３ｚ、および車輌中心側（図中右）密封シール部材５ｂｚおよび車両外端側（図中左）密封シール部材５ａｚとからなっている。
【０００３】
なお、図１０はＸ０−Ｘ０中心線より上半分の断面図である。
【０００４】
車両中心側密封シール部材５ｂｚはスリンガ５ｂ２ｚと芯金５ｂ１ｚからなる組合せ型密封シール部材である。芯金５ｂ１ｚは外輪１ｚに固定され、ゴムなどの弾性材料からなるシールリップ５ｂ３ｚが加硫接着されている。
【０００５】
スリンガ５ｂ２ｚは内輪２ｚの外周面に嵌合固定され、半径方向外方に折れ曲がっているフランジ部５ｂ２２ｚを有している。
【０００６】
芯金５ｂ１ｚに加硫接着されたシールリップ５ｂ３ｚはスリンガ５ｂ１ｚに摺接している。その結果、密封シール部を形成する。
【０００７】
フランジ部５ｂ２２ｚの軸方向外面には、エンコーダ６ｚが接着されている。エンコーダ６ｚは磁気エンコーダであり、磁性体粉が混入された弾性部材からなっている。磁気エンコーダ６ｚの軸方向外面に近接対向して、センサー部７ｚが配置されている。センサー部７ｚと磁気エンコーダ６ｚとは所定の間隙Ｓで対向していて、磁気エンコーダ６ｚから発するパルスを検出するようになっている。
【０００８】
車両が走行中に、この間隙Ｓに、小石などの異物を噛みこむ場合があり、そのような場合には噛みこんだ異物によって磁気エンコーダ６ｚの表面が損傷する虞がある。損傷によって、パルスの検出精度が低下してしまうと云う問題が生じる。
【０００９】
この問題を解決するための提案がある。(特許文献１を参照)
【特許文献１】特開２００２−３３３０３３号公報
【発明の開示】
【発明が解決しようとする課題】
【００１０】
しかしながら、特許文献１は、磁気エンコーダの外方側を保護板で被覆し、保護板の内側面に磁気エンコーダを接着することによって、磁気エンコーダとセンサーとの間隙に異物が噛みこんだ場合に、磁気エンコーダの損傷を防止するものである。
【００１１】
この場合、センサーはころがり軸受とは別の部位、例えば、車体の一部分に取付けられてころがり軸受の軸方向外方から、パルスを検出することになる。
【００１２】
特許文献１では、センサーと磁気エンコーダの間の距離が保護板を介在させることにより大きくなり、そのためパルスが弱まり信号精度が低下するという問題がある。
【００１３】
本発明は、このような点に鑑みなされたもので、磁気エンコーダとセンサーとの間の間隙に異物が噛みこんだ場合でも、磁気エンコーダの損傷を防止すると共に、信号精度の低下を防止する磁気エンコーダを設けた密封シールを備えたころがり軸受および磁気エンコーダを含む密封シール部材を提供することを目的としている。
【課題を解決するための手段】
【００１４】
上記の目的を達成するため、本発明は、
内周軌道を有する外輪と、
外周軌道を有する内輪と、
前記内周軌道と前記外周軌道間に介装され、前記外内輪を相対回転可能に支持する転動体と、
前記外輪の両端部に設けられて、前記外輪と前記内輪との軸受空間を密封する第１密封シール部材及び第２密封シール部材とからなり、
前記第１密封シール部材と第２密封シール部材のいずれか一方の密封シール部材に磁気エンコーダを設けたころがり軸受において、
前記磁気エンコーダを設けた密封シール部材は外輪に嵌合された芯金と、該芯金に取付けられたシールリップと、内輪に嵌合されたスリンガ組立て体とを含み、該スリンガ組立て体は非磁性体のヨークと磁気エンコーダと磁性体の円盤形状のバックヨークからなり、前記ヨークはフランジ部を有し、該フランジ部には円周方向の窓が等間隔に所定数設けられてあり、前記磁気エンコーダは一方の面と他方の面を有し、一方の面には前記窓と同数で、かつ同形状の多極磁化された凸部が形成されてあり、前記ヨークと磁気エンコーダとは、一体に加硫成型され、多極に着磁されており、さらに、前記磁気エンコーダの他方の面にバックヨークを取付けてスリンガ組立て体となして、軸方向外方から内方に向けてフランジ部、磁気エンコーダ、バックヨークの順に配列した前記スリンガ組立て体を設けた密封シール部材を備えたことを特徴とするころがり軸受を提供する。
【００１５】
また、本発明は、
内周軌道を有する外輪と、
外周軌道を有する内輪と、
前記内周軌道と前記外周軌道間に介装され、前記外内輪を相対回転可能に支持する転動体と、
前記外輪の車両外端側端部および車両中心側端部に設けられて、前記外輪と前記内輪との軸受空間を密封する密封シール部材とからなり、
車両中心側の密封シール部材に磁気エンコーダを設けたころがり軸受において、
車両中心側の密封シール部材は外輪に嵌合された芯金と、該芯金に取付けられたシールリップと、内輪に嵌合されたスリンガ組立て体とを含み、該スリンガ組立て体は非磁性体のヨークと磁気エンコーダと磁性体の円盤形状のバックヨークからなり、前記ヨークはフランジ部を有し、該フランジ部には円周方向の窓が等間隔に所定数設けられてあり、前記磁気エンコーダは一方の面と他方の面を有し、一方の面には前記窓と同数で、かつ同形状の多極磁化された凸部が形成されてあり、前記ヨークと磁気エンコーダとは、一体に加硫成型され、多極に着磁されており、さらに、前記磁気エンコーダの他方の面にバックヨークを取付けてスリンガ組立て体となして、軸方向外方から内方に向けてフランジ部、磁気エンコーダ、バックヨークの順に配列した前記スリンガ組立て体を設けた密封シール部材を備えたことを特徴とするころがり軸受を提供する。
【００１６】
また、本発明は、
芯金と、該芯金に形成されたシールリップと、該シールリップと摺接するフランジ部を有するヨークとを含む密封シール部材において、
円筒部と、円筒部の所定位置から半径方向に折れ曲がるフランジ部を有する非磁性体のヨークと、磁気エンコーダと、前記磁気エンコーダに取付けられる磁性体のバックヨークとを含むスリンガ組立て体であって、前記ヨークのフランジ部には円周方向に等間隔に離隔した窓を所定数設けており、前記磁気エンコーダは一方の面と他方の面を有し、一方の面には前記窓と同数で、かつ同形状の円周方向に多極磁化された凸部が形成されてあり、前記ヨークと前記エンコーダとは、一体に加硫成型され、多極に着磁されており、さらに、磁気エンコーダの他方の面にバックヨークを取付けてスリンガ組立て体となし、密封シール部材を取付け後において、軸方向外方から、フランジ部、磁気エンコーダ、バックヨークの順に配列される前記スリンガ組立て体を備えることを特徴とする密封シール部材を提供する
【発明の効果】
【００１７】
本発明によれば、磁気エンコーダとセンサーとの間の間隙に異物が噛みこんだ場合でも、磁気エンコーダの損傷を防止すると共に、信号精度の低下を防止する磁気エンコーダを設けた密封シールを備えたころがり軸受および磁気エンコーダを含む密封シール部材を提供する事が出来る。
【発明を実施するための最良の形態】
【００１８】
以下、本発明に係わる実施形態を図面を参照しつつ説明する。
【００１９】
（実施形態１）
図１ないし図５を参照して本発明の実施形態１を説明する。
なお、図１、図３、はＸ−Ｘ中心線より上側半分を示している断面図である。
【００２０】
図１は車輪用のころがり軸受、特に、駆動輪用として使用されるものである。
【００２１】
以下の説明において、表現の簡略化のため、車両外端側を外端側と、また、車両中心側を中心側という。
【００２２】
図１において、ころがり軸受Ｈ１は、内周に複列の内周軌道１１，１２を有し、外周に車体への取付けフランジ１ｆを有している外輪１と、外端側に車輪(図示略)を取付けるフランジ２ｆと軸方向中央部２ｍのうちフランジ２ｆ側外周面に直接外周軌道２ａ１が形成され、軸方向中央部２ｍに連設されて、中心側に小径部２ｎが形成されているハブ軸２ａｈと、ハブ軸２ａｈに嵌合され、外周に外周軌道２ｂ１を有する内輪要素２ｂとからなる内輪２と、外輪１と内輪２との間に介装されているボール３、３と、ボール３、３を保持している保持器４、４と、外輪１の両端部に取付けられている外端側密封シール部材５ａと中心側密封シール部材５ｂと、中心側密封シール部材５ｂに備えられている磁気エンコーダ６とから構成されている。なお、ころがり軸受Ｈ１の構成部品ではないが、磁気エンコーダ６と近接対向して所定の距離Ｓだけ離隔してセンサー部７が配置されている。
【００２３】
次に、各部品に関し、図２(図１のＡ部を拡大した要部)、図３、図４を併せ参照しながら、詳細に説明をする。
【００２４】
外輪１は上述のように、内周に複列の外端側の内周軌道１１と中心側の内周軌道１２を有し、外周に車体への取付けフランジ１ｆを有している。また、中心側の端部１４に後述する密封シール部材を取付ける内周面１ｄを有している。さらに、外端側端部１３には後述する外端側密封シール部材を取付ける内周面１ｃを有している。
【００２５】
内輪２は、上述のように外端側に車輪(図示略)を取付けるフランジ２ｆと軸方向中央部２ｍにはフランジ２ｆ側外周面に直接外周軌道２ａ１が形成されており、さらに、軸方向中央部２ｍに連設されて、段部２ｃを介して中心側に小径部２ｎが形成されているハブ軸２ａｈ、および、ハブ軸２ａｈの小径部２ｎに嵌合され、外周に外周軌道２ｂ１を有する内輪要素２ｂとからなっている。
【００２６】
なお、外周軌道２ａ１は外輪１の内周軌道１１に、外周軌道２ｂ１は内周軌道１２にそれぞれ対向している。
【００２７】
また、ハブ軸２ａｈのフランジ２ｆには車輪(図示略)を取付けるボルト８が装着されており、ハブ軸２ａｈの内周には駆動軸(図示略)と嵌合するセレーション２ｔが加工されている。
【００２８】
ボール３、３は、外輪１と内輪２との間に複列に介装されており、外輪１および内輪２を相対回転可能に支持している。
【００２９】
保持器４、４は、ボール３、３を保持している。
【００３０】
外端側の密封シール部材５ａは、第１密封シール部材に対応するものであるが、本実施形態においては、外輪１の内周面１ｃに取付けられている芯金５ａ１と芯金５ａ１に加硫接着されているシールリップ５ａ３からなっており、外端側において、ハブ軸２ａｈとの間で摺接して外輪１と内輪２との間を密封する。外端側の密封シール部材５ａは摺接する形式になっていればよいので図１に示す形状に限定するものでなくてよい。
【００３１】
中心側の密封シール部材５ｂについて、図１のＡ部の拡大図である図２を参照しながら以下に説明する。
【００３２】
中心側の密封シール部材５ｂは、第２密封シール部材に対応するものであるが、外輪内周面１ｄに嵌合されている固定部材となる芯金５ｂ１と、内輪要素２ｂの外周面２ｂ１１に嵌合されている回転部材となるスリンガ組立て体５ｂ２と、芯金５ｂ１の内側面に加硫接着されているゴムなど弾性シール部材から形成されているシールリップ５ｂ３とを包含するものである。
【００３３】
芯金５ｂ１は、円筒部５ｂ１１と円筒部５ｂ１１の軸方向所定の位置から半径方向内方へ折曲げられている内方つば部５ｂ１２とからなっている。円筒部５ｂ１１は外輪１の中心側端部１４の内周面１ｄに嵌合固定される。芯金５ｂ１にはシールリップ５ｂ３が加硫接着されている。
【００３４】
シールリップ５ｂ３は軸方向外方(ころがり軸受の外部方向)へ向かって伸びるアキシャルリップ５ｂ３１、半径方向内方へ向かって伸びる第１ラジアルリップ５ｂ３２および第２ラジアルリップ５ｂ３３がそれぞれ形成されている。
【００３５】
スリンガ組立体に関し、さらに、図２、図３、図４(図３をＹ方向から見た側面図)を参照しながら詳細に説明する。
【００３６】
スリンガ組立て体５ｂ２は、内輪要素２ｂの外周面２ｂ１１に嵌合固定される円筒部５ｂ２２と円筒部５ｂ２２の所定位置から半径方向外方へ折曲げられているフランジ部５ｂ２３とを有するヨーク５ｂ２１と、フランジ部５ｂ２３に一体に加硫成型されている磁気エンコーダ６と、磁気エンコーダ６に固定されるバックヨーク６ａからなっていて、フランジ部５ｂ２３、磁気エンコーダ６、バックヨーク６ａの順に組合せ一体化されている。
【００３７】
磁気エンコーダ６とバックヨーク６ａとの組合せ一体化には、適切な接着剤を使用すればよい。
【００３８】
ヨーク５ｂ２１は非磁性体からなっている。
【００３９】
ヨーク５ｂ２１は円筒部５ｂ２２とフランジ部５ｂ２３からなり、円筒部５ｂ２２は後述するように内輪要素２ｂの外周面２ｂ１１に嵌合固定される。
【００４０】
フランジ部５ｂ２３は円周方向等間隔に所定数で放射線方向を向いた窓５ｂ２４が形成されている。窓５ｂ２４は、フランジ部５ｂ２３の外側円環部５ｂ２３１と内側円環部５ｂ２３２と、外内円環部を連結する柱５ｂ２３３とで囲まれている。
【００４１】
磁気エンコーダ６は、磁性ゴムなどを用いた多極磁石エンコーダである。フランジ部５ｂ２３と磁性ゴムからなる磁気エンコーダ６は一体に加硫成型される。その結果、フランジ部５ｂ２３の窓５ｂ２４と同数および同形状の凸部６２が一方の面６１の円周方向に形成され、窓５ｂ２４に収納されて一体化された構成となる。凸部６２とフランジ部５ｂ２３の外側面とは軸方向に面一の状態にできる。
【００４２】
加硫成型後において、窓５ｂ２４に収納されている凸部６２は着磁される。この着磁によって凸部６２は円周方向に交互にＮ極、Ｓ極が形成される。凸部６２と凸部６２との間は磁化されていない状態が得られる。
【００４３】
凸部６２が形成されている一方の面６１と反対の他方の面６３は平面である。他方の面６３に後述のバックヨーク６ａが接着される。
【００４４】
バックヨーク６ａは磁性体からなる円盤で、磁気エンコーダ６とは略同じ半径方向の寸法である。
【００４５】
バックヨーク６ａの非接着面６ａ１は、後述するようにアキシャルリップ５ｂ３１と摺接する面となる。
【００４６】
上述のように、加硫成型後に窓５ｂ２４に収容されている凸部６２を着磁し、凸部６２と凸部６２との間の磁化されていない部位にヨーク５ｂ２１の柱５ｂ２３３を一致させているので、磁気エンコーダ６の出力の低下を最小限に抑えることができ、しかも、センサー部７と対向する軸方向の間隙Ｓを所定寸法に設定することが容易となり、信号精度の低下を防止して、検出精度を高く維持できると共に、凸部６２をフランジ部５ｂ２３の外側円環部５ｂ２３１と内側縁間部５ｂ２３２および柱５ｂ２３３とでかご形に囲んでいるので、磁気エンコーダ６の表面（凸部６２）の面積が小さく、損傷を可及的に防止することができる。
【００４７】
シールリップ５ｂ３が加硫接着されている芯金５ｂ１とスリンガ組立て体５ｂ２を組合せて密封シール部材５ｂにするが、スリンガ組立て体５ｂ２のフランジ部５ｂ２３がころがり軸受Ｈ１の外方向に位置するように配置して取付ける。
【００４８】
芯金５ｂ１を外輪１に取付けるときには、内方つば部５ｂ１２がころがり軸受の内方を向くように取付ける。その結果、スリンガ組立て体５ｂ２のバックヨーク６ａの他方の面６ａ１と芯金５ｂ１に加硫接着されているシールリップ５ｂ３のアキシャルリップ５ｂ３１とが摺接し、第１ラジアルリップ５ｂ３２、第２ラジアルリップ５ｂ３３がそれぞれヨーク５ｂ２の円筒部５ｂ２２と摺接して、密封シール部材５ｂを形成することになる。
【００４９】
アキシャルリップ５ｂ３１、第１ラジアルリップ５ｂ３２、第２ラジアルリップ５ｂ３３のいずれもがころがり軸受の外方から水などの異物の侵入を防止することが出来るように、異物の侵入が予測される方向、すなわち、アキシャルリップ５ｂ３１はバックヨーク６ａの他方の面６ａ１と半径方向外方に向かって、各ラジアルリップ５ｂ３２，５ｂ３３はヨーク５ｂ２１の円筒部５ｂ２２と軸方向外方に向かって、摺接している。
【００５０】
次に、密封シール部材の変形例１について、図５を参照しながら説明する。
【００５１】
ヨーク５ｂ２１と磁気エンコーダ６とバックヨーク６ａからなるスリンガ組立て体５ｂ２については、図２と同一であるから説明を省略する。
【００５２】
芯金５ｂ１とシールリップ５ｂ３について説明する。
【００５３】
芯金５ｂ１は外輪内周面１ｄに嵌合固定される円筒部５ｂ１１と、円筒部５ｂ１１の所定位置から半径方向内方に折り曲げられたつば部５ｂ１２とからなり、つば部５ｂ１２には外側面にシールリップ５ｂ３が加硫接着されている。シールリップ５ｂ３はアキシャルリップ５ｂ３１と第１ラジアルリップ５ｂ３２と第２ラジアルリップ５ｂ３３からなっている。アキシャルリップ５ｂ３１はバックヨーク６ａの他方の面６ａ１と摺接し、第１、第２ラジアルリップ５ｂ３２，５ｂ３３はヨーク５ｂ２１の円筒面５ｂ２２と摺接する。
【００５４】
図２と比べて、芯金５ｂ１の円筒面５ｂ１１がボール３側に向いて取付けられている点が異なっている。
【００５５】
アキシャルリップ５ｂ３１、第１ラジアルリップ５ｂ３２、第２ラジアルリップ５ｂ３３のいずれもがころがり軸受の外方から水などの異物の侵入を防止することが出来るように、異物の侵入が予測される方向、すなわち、アキシャルリップ５ｂ３１は半径方向外方に向かって、各ラジアルリップ５ｂ３２，５ｂ３３は軸方向外方に向かって、摺接しているのは、図２と同様である。
【００５６】
次に、本実施形態の変形例３である図６に示すころがり軸受Ｈ２について説明する。
【００５７】
同図は、図１ならびに図１に関連した図面にて説明した中心側密封シール部材５ｂと同じ構成を単列玉軸受に使用したものである。
【００５８】
同図において、第１シール部材５ａ(図左側)は外輪１と内輪２間を密封し、外輪１の内周面１ｃに固定される芯金５ａ１と芯金５ａ１に加硫接着されているシールリップ５ａ３からなっており、シールリップ５ａ３が内輪２と摺接している。
【００５９】
第２シール部材５ｂ(図右側)は図２において説明してある密封シール部材５ｂを使用したものである。
【００６０】
単列玉軸受に使用することにより、多用途に展開するものである。
【００６１】
次に実施形態２について図７、図８、図９を参照しながら説明する。
【００６２】
(実施形態２)
図７に示すころがり軸受Ｈ３は、自動車の従動輪に使用されるもので外輪回転である。同図は、Ｘ-Ｘ中心線より上半分の断面図である。
【００６３】
内周に複列の内周軌道１１，１２を有する外輪１と、内周軌道１１，１２に対向する外周軌道２ａ１，２ｂ１を有する内輪２と、外内輪間に介在するボール３、３と、ボール３、３を保持する保持器４、４と、外端側密封シール部材５ａと中心側密封シール部材５ｂとからなっている。なお、中心側密封シール部材５ｂは軸方向にセンサー部７と対向している。
【００６４】
外輪１は、上述のように、複列の内周軌道１１，１２と外端側に車輪を固定するフランジ部１ｆを有している。フランジ部１ｆには車輪固定用のボルト８が取付けられている。外輪１の外端側端部１３の内周面１は後述する外端側密封シール部材の取付け面１ｃである。外輪１の中心側端部の内周面１ｄは後述する密封シール部材の取付け面になっている。図１と類似した構成である。
【００６５】
内輪２は、上述のように、内周軌道１１，１２に対向する外周軌道２ａ１，２ｂ１をそれぞれに有する内輪要素２ａ，２ｂを、軸受の内方側になる端部２ａ５，２ｂ５で互いに突当てる構造である。
【００６６】
ボール３、３は外内輪間に介在している。
【００６７】
保持器４、４はボール３、３を保持している。
【００６８】
外端側密封シール部材５ａは、鋼板から形成された蓋状の密封シール部材で、外輪１の内周面１ｃに固定されている。
【００６９】
外端側密封シール５ａはころがり軸受Ｈ３が車両に取付けられたのちに、外輪１に取付けられる。
【００７０】
中心側密封シール部材５ｂは、内輪要素２ｂの外周面２ｂ１１に取付けられる芯金５ｂ１と、芯金５ｂ１の内側に加硫接着されているシールリップ５ｂ３と、外輪１の内周面１ｄに固定されるスリンガ組立て体５ｂ２からなっている。
【００７１】
図１に比べて相違する点は、外輪１にスリンガ組立て体５ｂ２が嵌合固定され、内輪２に芯金５ｂ１が嵌合固定されることである。すなわち、固定する点からみると逆になっている。
【００７２】
以下、図８、図９(図８をＹ方向から見た側面図)を参照しながら説明する。
【００７３】
芯金５ｂ１は、円筒部５ｂ１１と、円筒部５ｂ１１の所定位置から半径方向外方へ折り曲げられた外方つば部５ｂ１２とからなる。
【００７４】
シールリップ５ｂ３は芯金５ｂ１の外側面に加硫接着されていて、軸方向外方に伸びるアキシャルリップ５ｂ３１と、半径方向外方へ伸びる第１ラジアルリップ５ｂ３２、第２ラジアルリップ５ｂ３３とからなっている。
【００７５】
スリンガ組立て体５ｂ２は外輪１の内周面１ｄに嵌合固定される円筒部５ｂ２２と円筒部５ｂ２２の所定位置から半径方向外方へ折曲げられているフランジ部５ｂ２３とを有するヨーク５ｂ２１と、フランジ部５ｂ２３に取付けられる磁気エンコーダ６と、磁気エンコーダ６に取付けられるバックヨーク６ａからなっている。
【００７６】
ヨーク５ｂ２１は非磁性体である。
【００７７】
ヨーク５ｂ２１は、円筒部５ｂ２２にて後述するように外輪１の内周面１ｄに嵌合固定される。
【００７８】
フランジ部５ｂ２３は円周方向等間隔に所定数で放射線方向を向いた窓５ｂ２４が形成されている。窓５ｂ２４は、フランジ部５ｂ２３の外側円環部５ｂ２３１と内側円環部５ｂ２３２と、外内円環部を連結する柱５ｂ２３３とで囲んでいる。
【００７９】
ヨーク５ｂ２１の構成については、図３、図４が円筒部５ｂ２２を内輪外周面２ｂ１１に嵌合固定する構成であるのに比べ、外輪内周面１ｄに嵌合固定する構成になっている点が相違し、他は同一構成である。
【００８０】
磁気エンコーダ６ならびにバックヨーク６ａの構成については、実施形態１と同一であるから説明を省略する。
【００８１】
ヨーク５ｂ２１と磁気エンコーダ６とバックヨーク６ａの組み合わせについても、実施形態１と同一であるから説明を省略する。
【００８２】
本実施形態は、上述のように、外輪回転に適用したものであるが、本実施形態においても、実施形態１と同様の効果を奏する。
【００８３】
アキシャルリップ５ｂ３１、第１ラジアルリップ５ｂ３２、第２ラジアルリップ５ｂ３３のいずれもがころがり軸受の外方から水などの異物の侵入を防止することが出来るように、異物の侵入が予測される方向、すなわち、アキシャルリップ５ｂ３１は半径方向外方に向かって、各ラジアルリップ５ｂ３２，５ｂ３３は軸方向外方に向かって、摺接していることも実施形態１と同様である。
【００８４】
以上説明したように、本発明は、自動車用に限らず、また、内輪回転であるか外輪回転であるかにかかわらず、密封機能と回転数検出機能を併せ持つ必要のある用途に対して、ころがり軸受の形式に関係なく実施するものである。
【図面の簡単な説明】
【００８５】
【図１】本発明の実施形態１を示す半断面図である。
【図２】実施形態１の要部拡大図である。
【図３】実施形態１の要部拡大図である。
【図４】実施形態１の要部拡大図である。
【図５】実施形態１の変形例１である。
【図６】変形例２の断面図である。
【図７】本発明の実施形態２の半断面図である。
【図８】実施形態２の要部拡大図である。
【図９】実施形態２の要部拡大図である。
【図１０】従来技術の半断面図である。
【符号の説明】
【００８６】
Ｈ１，Ｈ２，Ｈ３：ころがり軸受
１：外輪
１１：（外端側）内周軌道
１２：（中心側）内周軌道
１３：（外端側）外輪端部
１４：（中心側）外輪端部
１ｃ：（外端側）外輪内周面
１ｄ：（中心側）外輪内周面
２：内輪
２ａｈ：ハブ軸
２ａ、２ｂ：内輪要素
２ａ１、２ｂ１：外周軌道
２ｍ：中央部
２ｎ：小径部
３：転動体
４：保持器
５ａ：外端側密封シール部材
５ｂ：中心側密封シール部材
５ａ１：芯金
５ａ３：シールリップ
５ｂ１：芯金
５ｂ１１：円頭部
５ｂ１２：内方つば部、外方つば部
５ｂ２：スリンガ組立て体
５ｂ２１:ヨーク
５ｂ２２:円筒部
５ｂ２３：フランジ部
５ｂ３：シールリップ
５ｂ３１:アキシャルリップ
５ｂ３２:第１ラジアルリップ
５ｂ３３：第２ラジアルリップ
６：磁気エンコーダ
６２:凸部
６ａ：バックヨーク
７：センサー部
【図１】
2007247718.tif 000003
【図２】
2007247718.tif 000004
【図３】
2007247718.tif 000005
【図４】
2007247718.tif 000006
【図５】
2007247718.tif 000007
【図６】
2007247718.tif 000008
【図７】
2007247718.tif 000009
【図８】
2007247718.tif 000010
【図９】
2007247718.tif 000011
【図１０】
2007247718.tif 000012